(57)【特許請求の範囲】
【請求項１】
内部に下方向流発生羽根を具備するモータが内蔵されている垂直筒体の上端に第１の吸引開口が形成されると共に、前記垂直筒体の下端に吐出開口が形成され、かつ、前記垂直筒体の中途部分に第２の吸引開口が形成されている流体攪拌装置であって、
前記垂直筒体は、下端に前記吐出開口が形成された下部筒と、上端に前記第１の吸引開口が形成され、下端が前記下部筒の上端に嵌入する上部筒とから形成され、かつ前記下部筒の上端の内面と前記上部筒の下端の外面が取付機枠によって同心円的に固定連結されて、前記下部筒の上端と前記上部筒の下端との間には環状孔からなる前記第２の吸引開口が形成されていることを特徴とする流体攪拌装置。
【請求項２】
前記上部筒の上端に更に小径の先部筒が連結され、前記上部筒の上端と前記先部筒の下端との間には、環状孔からなるもう一つの第２の吸引開口が形成され、前記第１の吸引開口は、前記先部筒の上端に形成されていることを特徴とする請求項１記載の流体攪拌装置。
【請求項３】
前記第１の吸引開口に原料投入ホッパーが連設されることを特徴とする請求項１又は２記載の流体攪拌装置。
【発明の詳細な説明】
【０００１】
【発明の属する技術分野】
本発明は、生コンスラリー、ベントナイトや石灰を含む水、下水汚水等のように沈殿物の多い流体を貯留する貯留槽中に設置して使用し、攪拌流によって沈殿物を攪拌浮遊させることができる流体攪拌装置に関する。
【０００２】
【従来の技術】
従来、上記した目的のために多種多様の流体攪拌装置が開発されており、その一形態として、図８〜図１０に示すように、上方から貯留槽内の流体を吸引すると共に、吸引した流体を下方に吐出する流体攪拌装置Ｂ、Ｃがある。
【０００３】
まず、図８に示す流体攪拌装置Ｂについて説明すると、同流体攪拌装置Ｂは、攪拌槽１００の底面１０１上に載置されており、実質的に、上端に吸引開口１０２を有すると共に下端に吐出開口１０３を有する短尺の垂直筒体１０４と、垂直筒体１０４内に同心円的に配設されると共に下方に向けて伸延する出力軸に下方向流発生羽根１０５が固着されているモータ１０６とから構成されている。
かかる構成において、モータ１０６を駆動して下方向流発生羽根１０５が回転すると、垂直筒体１０４の上端に形成されている吸引開口１０２から攪拌槽１００内の水が流入すると共に、垂直筒体１０４の下端に形成されている吐出開口１０３から攪拌槽１００内に流出されることになる。その後、流出された水は上方向流を描きながら、再度、垂直筒体１０４の吸引開口１０２に吸引される。即ち、攪拌槽１００内には上方向循環流路１０７が形成されることになり、水中にベントナイト等が分散された状態で存在することになる。
【０００４】
一方、図９及び図１０に示す流体攪拌装置Ｃは、攪拌槽２００の底面２０１上に載置されており、実質的に、上端に吸引開口２０２を有すると共に下端に吐出開口２０３を有する長尺の垂直筒体２０４と、垂直筒体２０４内に同心円的に配設されるモータ２０５と、モータ２０５の回転軸の上端に固着されると共に吸引開口２０２の直下に位置しているインペラ２０６と、モータ２０５の回転軸の下端に固着されると共に垂直筒体２０４の吐出開口２０３の直上に位置する下方向流発生羽根２０７とから構成されている。また、吸引開口２０２には吸引ガイド２０８が連設されると共に、吐出開口２０３には吐出ガイド２０９が設けられている。
【０００５】
かかる構成において、モータ２０５を駆動してインペラ２０６と下方向流発生羽根２０７が回転すると、吸引ガイド２０８を通して、垂直筒体２０４の上端に形成されている吸引開口２０２から攪拌槽２００内の水が流入すると共に、垂直筒体２０４の下端に形成されている吐出開口２０３及び吐出ガイド２０９を通して攪拌槽２００内に流出されることになる。その後、流出された水は上方向流を描きながら、再度、垂直筒体２０４の吸引開口２０２に吸引される。即ち、攪拌槽２００内には上方向循環流路２０８ａが形成されることになり、水中にベントナイト等が分散された状態で存在することになる。
【０００６】
【発明が解決しようとする課題】
しかし、上記した従来の流体攪拌装置Ｂ、Ｃは、未だ、以下の解決すべき課題を有していた。
即ち、図８に示すように、流体攪拌装置Ｂの垂直筒体１０４は、直径が垂直方向長さより大きい短尺構造となっている。従って、攪拌槽１００が小容量の場合には、このような流体攪拌装置Ｂであっても十分な攪拌効果が期待できる。しかし、攪拌槽１００が大容量の場合、貯留水の水位が高くなるので、このような流体攪拌装置Ｂでは、貯留水の下部層のみ攪拌することになり、上部層や中間層は何ら攪拌されないおそれがあり、攪拌槽１００の全体にわたって均一濃度の安定液等を生成することは困難である。
【０００７】
この点、図９及び図１０に示す流体攪拌装置Ｃにおいては、垂直筒体２０４は、垂直方向長さが直径より数倍大きい長尺構造となっている。従って、攪拌槽２００が大容量で、従って、水位が高い場合であっても、大きな上方向循環流路２０８ａを形成しながら攪拌作用が行われるので、貯留水の下部層のみならず上部層も攪拌されることになる。しかし、この場合においても、貯留水の中間層、特に、垂直筒体２０４の近傍の中間層は殆ど上方向循環流路２０８ａの影響を受けることがない。従って、この流体攪拌装置Ｃによっても、攪拌槽２００の全体にわたって均一濃度の安定液等を生成することは困難である。
【０００８】
本発明は、このような事情に鑑みなされたものであり、沈殿物を含む流体を全体にわたって攪拌して、容易、迅速かつ確実に均一な安定液等の混合原料を製造することができる流体攪拌装置を提供することを目的とする。
【０００９】
【課題を解決するための手段】
前記目的に沿う請求項１記載の流体攪拌装置は、内部に下方向流発生羽根を具備するモータが内蔵されている垂直筒体の上端に第１の吸引開口が形成されると共に、前記垂直筒体の下端に吐出開口が形成され、かつ、前記垂直筒体の中途部分に第２の吸引開口が形成されている流体攪拌装置であって、
前記垂直筒体は、下端に前記吐出開口が形成された下部筒と、上端に前記第１の吸引開口が形成され、下端が前記下部筒の上端に嵌入する上部筒とから形成され、かつ前記下部筒の上端の内面と前記上部筒の下端の外面が取付機枠によって同心円的に固定連結されて、前記下部筒の上端と前記上部筒の下端との間には環状孔からなる前記第２の吸引開口が形成されている。
【００１０】
請求項２記載の流体攪拌装置は、請求項１記載の流体攪拌装置において、前記上部筒の上端に更に小径の先部筒が連結され、前記上部筒の上端と前記先部筒の下端との間には、環状孔からなるもう一つの第２の吸引開口が形成され、前記第１の吸引開口は、前記先部筒の上端に形成されている。
請求項３記載の流体攪拌装置は、請求項１又は２記載の流体攪拌装置において、前記第１の吸引開口に原料投入ホッパーが連設される。
【００１１】
【発明の実施の形態】
続いて、添付した図面を参照しつつ、本発明を具体化した幾つかの実施の形態につき説明し、本発明の理解に供する。
【００１２】
（第１の実施の形態）
図１及び図２を参照して、本実施の形態に係る流体攪拌装置Ａの構成について説明する。
図１に示すように、攪拌槽１０の底面１１上の略中央部に流体攪拌装置Ａが載置されている。
図１及び図２に示すように、底面１１上には流体攪拌装置Ａの下部を構成する支持機枠１２が載置されており、支持機枠１２は、大径の円板からなる底板１３と、底板１３の外周縁に円周方向に間隔をあけて立設された複数の支柱１４と、これら支柱１４の上端によって固定支持される大径の円板からなる天板１５から形成されている。
【００１３】
支持機枠１２には、天板１５を貫通する状態で直筒からなる長尺の垂直筒体１６が取付けられており、垂直筒体１６の上端には第１の吸引開口１７が形成されると共に、その下端には吐出開口１８が形成されている。
【００１４】
図２に示すように、垂直筒体１６は、外周面を天板１５に設けた取付孔の周縁部に溶接等によって固定された下部筒１９と、下部筒１９の上部に連設される直筒からなる上部筒２０とから形成されており、上部筒２０は下部筒１９より小径に形成され、その下端は下部筒１９の上端に嵌入されている。
下部筒１９の下部は先細状になっており、その下端には吐出開口１８が形成されると共に、吐出開口１８の周縁には環状ガイドフランジ２１が取付けられている。
【００１５】
また、下部筒１９の上端の内面には、十字架状に配設された取付機枠２２によって、上部筒２０の下端の外面が同心円的に固定連結されている。そして、上述したように、上部筒２０は下部筒１９より小径に形成されているので、下部筒１９の上端と上部筒２０の下端との間には環状孔からなる第２の吸引開口２３が形成されることになる。
【００１６】
垂直筒体１６内にはモータ２４が同心円的に配設されており、モータ２４の外面は十字架状に配設された取付機枠２５によって下部筒１９の上部内面に固定されている。なお、モータ２４は上部筒２０に取付けることもできる。そして、モータ２４から下方に伸延する出力軸２６の伸延端には、プロペラ羽根や傾斜パドル等からなる下方向流発生羽根２７が固着されている。
なお、本実施の形態では、支持機枠１２の底板１３の中央部には均等拡散錐体２８が取付けられている。
【００１７】
次に、上記した構成を有する流体攪拌装置Ａの作動について、図１及び図２を参照して説明する。
流体攪拌装置Ａのモータ２４の作動によって下方向流発生羽根２７が回転し、この回転によって、垂直筒体１６の内部空間が負圧状態になる。
従って、第１の吸引開口１７及び第２の吸引開口２３を通して攪拌槽１０内の水Ｗが垂直筒体１６に流入すると共に、流入した水Ｗは、垂直筒体１６を通して流下して吐出開口１８より攪拌槽１０中へ放射状に流出されることになる。また、流出された水Ｗは、その後、図１に矢印で示すように攪拌槽１０の底面１１上を水平移動した後、上方に移動し、さらに、第１の吸引開口１７及び第２の吸引開口２３に向けて還流され、高さを異にする第１と第２の上方向循環流路２９、３０が形成されることになる。
【００１８】
ところで、本実施の形態では、第１の吸引開口１７と第２の吸引開口２３とは、それぞれ、垂直筒体１６の上部と下部とに形成されており、これらの上、下部はそれぞれ、攪拌槽１０内に貯留されている水Ｗの上部層と中間層に位置している。
従って、大容量の攪拌槽１０であっても、高さを異にする第１と第２の上方向循環流路２９、３０を通して水Ｗを循環させることによって、攪拌槽１０の上部層及び下部層のみならず中間層における水Ｗも、流体攪拌装置Ａの作動によって強制的に循環されることになり、ベントナイト等を含む安定液等を、攪拌槽１０の全体にわたって均一にかつ安定状態に製造することができる。
【００１９】
（第２の実施の形態）
図３を参照して、本実施の形態に係る流体攪拌装置Ａ１の構成について説明する。なお、第１の実施の形態と同一の構成要素は同一の符号で示す（以下同じ）。
図３に示すように、本実施の形態に係る流体攪拌装置Ａ１は、上記した第１の実施の形態に係る流体攪拌装置Ａにおける垂直筒体１６における上部筒２０の上端にさらに先部筒３１を連結することによって、垂直筒体１６より長い垂直筒体３２を具備する構成としたことに特徴を有する。
即ち、図３に示すように、本実施の形態では、上部筒２０の上端の内面には、十字架状に配設された取付機枠３３によって、先部筒３１の下端の外面が同心円的に固定連結されている。そして、先部筒３１は上部筒２０より小径に形成されているので、上部筒２０の上端と先部筒３１の下端との間には環状孔からなるもう一つの第２の吸引開口３４が形成されることになる。また、先部筒３１の上端には、第１の実施の形態における第１の吸引開口１７と同様に攪拌槽１０の上部層の水Ｗを吸引する第１の吸引開口３５が形成されている。
【００２０】
従って、本実施の形態においては、攪拌槽１０がさらに大容量となる場合であっても、第１の吸引開口３５と、二つの第２の吸引開口３４、２３を通して水Ｗを循環させることによって、攪拌槽１０の上部層及び下部層のみならず中間層における水Ｗも、流体攪拌装置Ａ１の作動によって強制的に循環されることになり、ベントナイト等を含む安定液等を、攪拌槽１０の全体にわたって均一にかつ安定状態に製造することができる。
【００２１】
（第３の実施の形態）
図４を参照して、本実施の形態に係る流体攪拌装置Ａ２の構成について説明する。
本実施の形態に係る流体攪拌装置Ａ２は、ベントナイト等の安定液原料を用いて均一な安定液を製造するために好適に用いることができるものである。
図４に示すように、本実施の形態に係る流体攪拌装置Ａ２は、上記した第１の実施の形態に係る流体攪拌装置Ａにおける垂直筒体１６における上部筒２０を二分割筒からなる伸縮構造とすると共に、上部筒２０の上端に形成された吸引開口を、水Ｗの吸引開口としてのみならず、ベントナイト等の安定液原料の投入開口としても用いることができるようにしたことに特徴を有する。
【００２２】
即ち、図４に示すように、本実施の形態における垂直筒体４３では、第１の実施の形態における上部筒２０に代えて、下部筒１９の上端には、同筒より小径の固定筒３６の下端が取付けられており、固定筒３６の上端には昇降筒３７が上下方向に摺動自在に取付けられている。
即ち、下部筒１９の上端の内面には、十字架状に配設された取付機枠３８によって、固定筒３６の下端の外面が同心円的に固定連結されている。そして、固定筒３６は下部筒１９より小径に形成されているので、下部筒１９の上端と固定筒３６の下端との間には環状孔からなる第２の吸引開口３９が形成されることになる。
また、固定筒３６の上端には、同筒より小径の昇降筒３７の下端が摺動自在に取付けられており、昇降筒３７の上端には、第１の実施の形態における第１の吸引開口１７と同様に攪拌槽１０の上部層の水Ｗを吸引すると共にベントナイト等の安定液原料４０が供給される第１の吸引開口４１が形成されている。
【００２３】
さらに、図４に示すように、第１の吸引開口４１は、好ましくは、水面４２から１００ｍｍ〜２００ｍｍ下方に位置されている。距離が１００ｍｍより小さい場合は、第１の吸引開口４１より多量の空気が混入して攪拌能力が著しく低下することになり、一方、距離が２００ｍｍを超える場合、下方向流発生羽根２７の回転によって発生する吸引力が安定液原料４０が投入される水面４２付近の水Ｗに及ばず、安定液原料４０を水Ｗと共に垂直筒体４３内に効果的に吸引することができなくなるからである。
かかる構成によって、安定液原料収納袋４４を破袋して安定液原料４０を第１の吸引開口４１に投入すると同時にモータ２４を作動すると、第１の吸引開口４１を通して安定液原料４０と水Ｗとが垂直筒体４３を通して下方に向けて移送され、下方向流発生羽根２７によって強力に混合攪拌された後、吐出開口１８より攪拌槽１０内に吐出することによって、均一な安定液を大量に製造することができる。
【００２４】
また、大容量の攪拌槽１０であっても、高さを異にする第１と第２の吸引開口４１、３９を通して水Ｗを循環させることによって、攪拌槽１０の上部層及び下部層のみならず中間層における水Ｗも、流体攪拌装置Ａ２の作動によって強制的に循環されることになり、ベントナイト等を含む安定液等を、攪拌槽１０の全体にわたって均一にかつ安定状態に製造することができる。
【００２５】
（第４の実施の形態）
図５を参照して、本実施の形態に係る流体攪拌装置Ａ３の構成について説明する。
本実施の形態に係る流体攪拌装置Ａ３は、第３の実施の形態に係る流体攪拌装置Ａ２の変容例に係るものであり、垂直筒体４５は、上記した第３の実施の形態に係る流体攪拌装置Ａ２における無孔の昇降筒３７に代えて、上端に複数の水流入孔４６を有する昇降筒４７を具備することを特徴とする。
即ち、固定筒３６の上端には、同筒より小径の昇降筒４７の下端が摺動自在に取付けられており、昇降筒４７の上端には、円周方向及び軸線方向に間隔を開けて複数の水流入孔４６が設けられている。
【００２６】
また、本実施の形態では、昇降筒４７の上端に形成されている第１の吸引開口４８は水面４２より上方に所定距離突出している。
かかる構成によって、安定液原料収納袋４４を破袋して安定液原料４０を第１の吸引開口４８に投入すると同時にモータ２４を作動すると、水Ｗが水流入孔４６を通して垂直筒体４５内に流入し、安定液原料４０と水Ｗとが同垂直筒体４５を通して下方に向けて移送され、下方向流発生羽根２７によって強力に混合攪拌された後、吐出開口１８より攪拌槽１０内に吐出することによって、均一な安定液を大量に製造することができる。
また、大容量の攪拌槽１０であっても、高さを異にする第１と第２の吸引開口４８、３９を通して水Ｗを循環させることによって、攪拌槽１０の上部層及び下部層のみならず中間層における水Ｗも、流体攪拌装置Ａ３の作動によって強制的に循環されることになり、ベントナイト等を含む安定液等を、攪拌槽１０の全体にわたって均一にかつ安定状態に製造することができる。
【００２７】
（第５の実施の形態）
図６を参照して、本実施の形態に係る流体攪拌装置Ａ４の構成について説明する。
図示するように、底面１１上には流体攪拌装置Ａ４の下部を構成する支持機枠５２が載置されており、支持機枠５２は、大径の円板からなる底板５３と、底板５３の外周縁に円周方向に間隔をあけて立設された複数の支柱５４と、これら支柱５４の上端によって固定支持される大径の円板からなる天板５５から形成されている。
支持機枠５２には、天板５５を貫通する状態で直筒からなる長尺の垂直筒体５６が取付けられており、垂直筒体５６の上端には第１の吸引開口５７が形成されると共に、その下端には吐出開口５８が形成されている。
【００２８】
図６に示すように、垂直筒体５６は、外周面を天板５５に設けた取付孔の周縁部に溶接等によって固定された下部筒５９と、下部筒５９の上部に連設される直筒からなる上部筒６０とから形成されており、上部筒６０は下部筒５９より小径に形成され、その下端は下部筒５９の上端に嵌入されている。
下部筒５９の下部は先細状になっており、その下端には吐出開口５８が形成されると共に、吐出開口５８の周縁には環状ガイドフランジ６１が取付けられている。
また、下部筒５９の上端の内面には、十字架状に配設された取付機枠６２によって、上部筒６０の下端の外面が同心円的に固定連結されている。そして、上述したように、上部筒６０は下部筒５９より小径に形成されているので、下部筒５９の上端と上部筒６０の下端との間には環状孔からなる第２の吸引開口６３が形成されることになる。
【００２９】
垂直筒体５６内にはモータ６４が同心円的に配設されており、モータ６４は、中央部が上方に突出した中空円錐状の取付機枠６５によって上部筒６０の内面に固定されている。そして、モータ６４から下方に伸延する出力軸６６の伸延端には、プロペラ羽根や傾斜パドル等からなる下方向流発生羽根６７が固着されている。
【００３０】
垂直筒体５６の第１の吸引開口５７に原料投入ホッパーの一例であるホッパー６８の基部が連通連結されており、ホッパー６８の上端開口部は攪拌槽１０内に貯留されている水Ｗの水面４２より上方に位置され、大気に開放されている。従って、ホッパー６８内に上方から、大量の安定液原料４０を投入することができる。
一方、ホッパー６８の水面４２より下部をなす部分には多数の水流入孔６９が設けられており、この水流入孔６９を通して攪拌槽１０内の水Ｗの一部がホッパー６８内に流入することになる。なお、本実施の形態においても、支持機枠５２の底板５３の中央部には均等拡散錐体７０が取付けられている。
【００３１】
次に、上記した構成を有する流体攪拌装置Ａ４の作動について、図６を参照して説明する。
流体攪拌装置Ａ４のモータ６４の作動によって下方向流発生羽根６７が回転し、この回転によって垂直筒体５６の内部空間が負圧状態になる。
従って、ホッパー６８内に水流入孔６９を通して水Ｗが流入すると共に、流入した水Ｗは、垂直筒体５６内を通して流下して吐出開口５８より攪拌槽１０の水Ｗ内に流出されることになる。
【００３２】
この状態で、図６に示すように、安定液原料収納袋４４を開けて大量の安定液原料４０をホッパー６８内に投入すると、安定液原料４０は、水流入孔６９を通してホッパー６８内に流入される水Ｗに巻き込まれながら垂直筒体５６内に移送されることになる。その後、下方向流発生羽根６７の回転力によって、水Ｗと安定液原料４０とは、強力に混合攪拌されることになり、混合攪拌流からなる安定液は吐出開口５８を通して攪拌槽１０内に吐出されることになる。
このように、本実施の形態では、大量の安定液原料４０を容易、迅速かつ確実に攪拌槽１０内の水Ｗと混合・攪拌して、均一な安定液を大量に製造することができる。
【００３３】
また、大容量の攪拌槽１０であっても、高さを異にするホッパー６８に設けられた水流入孔６９と第２の吸引開口６３を通して水Ｗを循環させることによって、攪拌槽１０の上部層及び下部層のみならず中間層における水Ｗも、流体攪拌装置Ａ４の作動によって強制的に循環されることになり、ベントナイト等を含む安定液等を、攪拌槽１０の全体にわたって均一にかつ安定状態に製造することができる。
【００３４】
（第６の実施の形態）
図７を参照して、本実施の形態に係る流体攪拌装置Ａ５の構成について説明する。
図示するように、本実施の形態に係る流体攪拌装置Ａ５は、ホッパー７１の構造を除いて、前記した流体攪拌装置Ａ４と同一の構成を有するので、同一の構成要素は同一の符号で示す。
【００３５】
即ち、垂直筒体５６の第１の吸引開口５７には無孔のホッパー７１の基部が連通連結されており、ホッパー７１の上端開口部は、水面４２よりわずかに下方に位置されている。具体的には、ホッパー７１の上端開口部と水面４２との間の距離は、好ましくは、１００ｍｍ〜２００ｍｍとする。距離が１００ｍｍより小さい場合は、ホッパー７１より多量の空気が混入して攪拌能力が著しく低下することになり、一方、距離が２００ｍｍを超える場合、下方向流発生羽根６７の回転によって発生する吸引力が安定液原料４０が投入される水面４２付近の水Ｗに及ばす、安定液原料４０を水Ｗと共に垂直筒体５６内に効果的に吸引することができなくなるからである。
【００３６】
かかる構成によって、上端開口部より安定液原料４０と水Ｗとをホッパー７１内に流入させた後、垂直筒体５６に移送し、下方向流発生羽根６７によって強力に混合攪拌した後、吐出開口５８より攪拌槽１０内に吐出することによって、均一な安定液を大量に製造することができる。
また、大容量の攪拌槽１０であっても、高さを異にするホッパー７１の上端開口部と第２の吸引開口６３を通して水Ｗを循環させることによって、攪拌槽１０の上部層及び下部層のみならず中間層における水Ｗも、流体攪拌装置Ａ５の作動によって強制的に循環されることになり、ベントナイト等を含む安定液等を、攪拌槽１０の全体にわたって均一にかつ安定状態に製造することができる。
【００３７】
以上、本発明を、幾つかの実施の形態を参照して説明してきたが、本発明は何ら上記した実施の形態に記載の構成に限定されるものではなく、特許請求の範囲に記載されている事項の範囲内で考えられるその他の実施の形態や変容例も含むものである。
【００３８】
【発明の効果】
請求項１〜３記載の流体攪拌装置においては、内部に下方向流発生羽根を具備するモータが内蔵されている垂直筒体の上端に第１の吸引開口が形成されると共に、垂直筒体の下端に吐出開口が形成され、かつ、垂直筒体の中途部分に第２の吸引開口が形成されている。
従って、吐出開口から吐出された流体は、それぞれ第１の吸引開口と第２の吸引開口に連絡する高さを異にする二つの上方向循環流路を通って循環されることになるので、攪拌槽の上部層及び下部層のみならず中間層における流体も、流体攪拌装置の作動によって強制的に循環されることになり、ベントナイト等を含む安定液等を、攪拌槽の全体にわたって均一にかつ安定状態に製造することができる。
請求項２記載の流体攪拌装置においては、第２の吸引開口は上下方向に間隔を開けて形成されている。従って、攪拌槽がさらに大容量となる場合であっても、第１の吸引開口と、高さを異にする第２の吸引開口を通して流体を循環させることによって、攪拌槽の上部層及び下部層のみならず中間層における水も、流体攪拌装置の作動によって強制的に循環されることになり、ベントナイト等を含む安定液等を、攪拌槽の全体にわたって均一にかつ安定状態に製造することができる。
請求項３記載の流体攪拌装置においては、第１の吸引開口に原料投入ホッパーが連設されるので、大量の安定液原料を原料投入ホッパーから投入することによって、容易、迅速かつ確実に攪拌槽内の水と混合・攪拌して、均一な安定液を大量に製造することができる。
【図面の簡単な説明】
【図１】本発明の第１の実施の形態に係る流体攪拌装置の攪拌槽内での設置状態説明図である。
【図２】同正断面図である。
【図３】本発明の第２の実施の形態に係る流体攪拌装置の正断面図である。
【図４】本発明の第３の実施の形態に係る流体攪拌装置の正断面図である。
【図５】本発明の第４の実施の形態に係る流体攪拌装置の正断面面図である。
【図６】本発明の第５の実施の形態に係る流体攪拌装置の正断面図である。
【図７】本発明の第６の実施の形態に係る流体攪拌装置の正断面図である。
【図８】従来の流体攪拌装置の正断面図である。
【図９】もう一つの従来の流体攪拌装置の設置状態説明図である。
【図１０】同一部切欠正面図である。
【符号の説明】
Ａ  流体攪拌装置                    Ａ１  流体攪拌装置
Ａ２  流体攪拌装置                  Ａ３  流体攪拌装置
Ａ４  流体攪拌装置                  Ａ５  流体攪拌装置
Ｗ  水                              １０  攪拌槽
１１  底面                          １２  支持機枠
１３  底板                          １４  支柱
１５  天板                          １６  垂直筒体
１７  第１の吸引開口                １８  吐出開口
１９  下部筒                        ２０  上部筒
２１  環状ガイドフランジ            ２２  取付機枠
２３  第２の吸引開口                ２４  モータ
２５  取付機枠                      ２６  出力軸
２７  下方向流発生羽根              ２８  均等拡散錐体
２９  上方向循環流路                ３０  上方向循環流路
３１  先部筒                        ３２  垂直筒体
３３  取付機枠                      ３４  第２の吸引開口
３５  第１の吸引開口                ３６  固定筒
３７  昇降筒                        ３８  取付機枠
３９  第２の吸引開口                ４０  安定液原料
４１  第１の吸引開口                ４２  水面
４３  垂直筒体                      ４４  安定液原料収納袋
４５  垂直筒体                      ４６  水流入孔
４７  昇降筒                        ４８  第１の吸引開口
５２  支持機枠                      ５３  底板
５４  支柱                          ５５  天板
５６  垂直筒体                      ５７  第１の吸引開口
５８  吐出開口                      ５９  下部筒
６０  上部筒                        ６１  環状ガイドフランジ
６２  取付機枠                      ６３  第２の吸引開口
６４  モータ                        ６５  取付機枠
６６  出力軸                        ６７  下方向流発生羽根
６８  ホッパー（原料投入ホッパー）  ６９  水流入孔
７０  均等拡散錐体                  ７１  ホッパー
【図１】
0003830217.tif 000002
【図２】
0003830217.tif 000003
【図３】
0003830217.tif 000004
【図４】
0003830217.tif 000005
【図５】
0003830217.tif 000006
【図６】
0003830217.tif 000007
【図７】
0003830217.tif 000008
【図８】
0003830217.tif 000009
【図９】
0003830217.tif 000010
【図１０】
0003830217.tif 000011